(57)【要約】【課題】エレベータホールで点検中のエレベータの利用を希望して待機している利用者がいることを、点検員に通報する。【解決手段】本発明に係るエレベータ通報システムによれば、乗場呼び釦１ａの所定の操作によりエレベータホールに利用者が存在するか否かを判定する判定部２ｂと、当該判定の結果、エレベータホールに利用者がいると判定された場合に、その旨の音声ガイダンスを出力する音声出力部４ｃと、音声ガイダンスが出力された後に、運転要求信号の入力に基づいて通常運転に切り替えるか否かを判定する判定部２ｂと、当該判定の結果、エレベータホールに設けられ、通常運転に切り替えると判定した場合に点滅する表示器１ｂとを備えて構成する。【選択図】    図１
2004277116.tif 000002
【特許請求の範囲】
【請求項１】
エレベータホールに設けられた乗場呼び釦からの利用者の所定の操作によって昇降路内の点検員に通報を行うエレベータ通報システムであって、
前記乗場呼び釦の所定の操作により前記エレベータホールに利用者が存在するか否かを判定する利用者判定手段と、
前記利用者判定手段による判定の結果、前記エレベータホールに利用者がいると判定された場合に、その旨の音声ガイダンスを出力する音声ガイダンス手段とを備えたことを特徴とするエレベータ通報システム。
【請求項２】
請求項１に記載のエレベータ通報システムにおいて、
前記音声ガイダンス手段によって音声ガイダンスが出力された後に、運転要求信号の入力に基づいて通常運転に切り替えるか否かを判定する運転切替判定手段と、
前記運転切替判定手段による判定の結果、通常運転に切り替えると判定した場合に、前記エレベータホールに判定結果を表示する結果表示手段と
を備えたことを特徴とするエレベータ通報システム。
【請求項３】
請求項２に記載のエレベータ通報システムにおいて、
前記結果表示手段は、
前記エレベータホールに設けられた表示器であって、通常運転時に点滅することを特徴とするエレベータ通報システム。
【請求項４】
エレベータホールに設けられた乗場呼び釦からの利用者の所定の操作に基づいて、昇降路内の点検員に点検中のエレベータの利用を希望する旨を音声により通報を行うエレベータ通報方法であって、
前記エレベータホールに設けられた乗場呼び釦に所定の操作を行う釦操作工程と、
前記釦操作工程における所定の操作に基づいて、前記昇降路内の点検員に前記点検中のエレベータの利用を希望する旨の音声ガイダンスを行う音声ガイダンス工程と、
前記音声ガイダンス工程により音声ガイダンスが行われた後、前記点検中のエレベータを通常運転に切り替える旨をエレベータホール側に表示する表示工程とを含むことを特徴とするエレベータ通報方法。
【発明の詳細な説明】
【０００１】
【発明の属する技術分野】
本発明は、エレベータホールに設けられた乗場呼び釦から昇降路内の点検員に通報を行うエレベータ通報システム及び方法に関する。
【０００２】
【従来の技術】
近年における建築技術の進歩に伴って、建築物の高層化が進み、エレベータは、不可欠のものとなっている。
【０００３】
現在、点エレベータホールにいる利用者から、点検中のエレベータを利用したい旨の情報を検中の点検員に対して通報する手法は一切ない。
【０００４】
【発明が解決しようとする課題】
従って、高層建築の上階で急病人が発生した場合または緊急で納品がある場合のように、利用者が点検中のエレベータを一時的に利用したいと思った場合であっても、点検員の所在がエレベータホールからでは分からず、かつ、点検員と連絡をとる具体的な手法が何らないので、その旨を点検員に通報のしようがなく、エレベータの利用をあきらめる外なかった。
【０００５】
本発明は、上記事情を考慮してなされたもので、エレベータホールで点検中のエレベータの利用を希望して待機している利用者がいることを、点検員に通報することを可能にするエレベータ通報システム及び方法を提供することを目的とする。
【０００６】
【課題を解決するための手段】
本発明の主旨は、無線通信を行う構成により、エレベータホールで点検中のエレベータの利用を希望して待機している利用者がいることを、点検員に通報することを可能にするという効果を達成することにある。
【０００７】
さて、以上のような本発明の主旨は、具体的には以下のような手段を講じることにより実現される。
【０００８】
第１の発明は、利用者の所定の操作によりエレベータホールに設けられた乗場呼び釦から昇降路内の点検員に通報を行うエレベータ通報システムであって、乗場呼び釦の所定の操作によりエレベータホールに利用者が存在するか否かを判定する利用者判定手段と、利用者判定手段による判定の結果、エレベータホールに利用者がいると判定された場合に、その旨の音声ガイダンスを出力する音声ガイダンス手段とを備えたエレベータ通報システムである。
【０００９】
このように、利用者判定手段により乗場呼び釦の所定の操作によりエレベータホールに利用者が存在するか否かが判定され、利用者判定手段による判定の結果、エレベータホールに利用者がいると判定された場合に、音声ガイダンス手段によりその旨の音声ガイダンスが出力されるので、点検中のエレベータの利用を希望する利用者がエレベータホールにいることを点検員に、迅速に通報することができる。
【００１０】
第２の発明は、第１の発明のエレベータ通報システムにおいて、音声ガイダンス手段によって音声ガイダンスが出力された後に、運転要求信号の入力に基づいて通常運転に切り替えるか否かを判定する運転切替判定手段と、運転切替判定手段による判定の結果、通常運転に切り替えると判定した場合にエレベータホールに判定結果を表示する結果表示手段とを備えたエレベータ通報システムである。
【００１１】
これにより、第１の発明の作用と同様の作用を奏することができるのに加え、音声ガイダンス手段によって音声ガイダンスが出力された後に、運転切替判定手段により運転要求信号の入力に基づいて通常運転に切り替えるか否かが判定され、運転切替判定手段による判定の結果、通常運転に切り替えると判定した場合に結果表示手段によりエレベータホールに判定結果が表示されるので、エレベータの点検員からエレベータホールにいる利用者に対して通常運転を行う旨を伝達することができる。
【００１２】
第３の発明は、第２の発明のエレベータ通報システムにおいて、結果表示手段は、エレベータホールに設けられた表示器であって、通常運転時に点滅するエレベータ通報システムである。
【００１３】
これにより、第２の発明の作用と同様の作用を確実に奏することができる。
【００１４】
第４の発明は、エレベータホールに設けられた乗場呼び釦からの利用者の所定の操作に基づいて、昇降路内の点検員に点検中のエレベータの利用を希望する旨を音声により通報を行うエレベータ通報方法であって、エレベータホールに設けられた乗場呼び釦に所定の操作を行う釦操作工程と、釦操作工程における所定の操作に基づいて、昇降路内の点検員に点検中のエレベータの利用を希望する旨の音声ガイダンスを行う音声ガイダンス工程と、音声ガイダンス工程により音声ガイダンスが行われた後、点検中のエレベータを通常運転に切り替える旨をエレベータホール側に表示する表示工程とを含むエレベータ通報方法である。
【００１５】
このように、乗場呼び釦への所定の操作により、点検中のエレベータの一時的な利用を希望する旨が音声ガイダンスによって点検員に通報され、音声ガイダンス終了後に当該点検中のエレベータを通常運転に切り替える旨がエレベータホール側に表示されるので、点検中のエレベータの利用を希望する利用者がエレベータホールにいることを点検員に、迅速に通報することができる。
【００１６】
【発明の実施の形態】
以下、本発明の一実施の形態について図面を用いて説明する。
【００１７】
図１は、本発明に係るエレベータ通報方法を適用したエレベータ通報システムの一実施の形態を示す機能ブロック図である。
【００１８】
本実施の形態に係るエレベータ通報システムは、各階のエレベータホールに設けられた操作盤１と、機械室に設けられたエレベータ制御盤２と、第１の通信端末３と、乗りかごの天井面上に設けられた通報装置４と、点検スイッチ５とから構成される。
【００１９】
また、操作盤１は、図２に示すとおり、エレベータの外側の扉６の右側に設けられた乗場呼び釦１ａと表示器１ｂとから構成されている。
【００２０】
さらに、エレベータ制御盤２は、エレベータデータ記憶部２ａと、判定部２ｂとから構成される。
【００２１】
さらにまた、通報装置４は、第２の通信端末４ａと、音声データ記憶部４ｂと、音声出力部４ｃと、入力スイッチ４ｄとから構成されている。
【００２２】
乗場呼び釦１ａは、利用者による所定の操作、例えば複数回数だけ所定の時間以上継続して押すといった操作により、エレベータのＩＤに関する情報と、呼び出しのある階の情報と音声ガイダンス要求とを含む電気信号を判定部２ｂに出力する機能を有している。
【００２３】
なお、以下では簡略化のため、１階のエレベータホールに設けられた操作盤１１（以下、簡略化の観点から単に操作盤１と称する）の乗場呼び釦１ａ１（以下、簡略化の観点から単に乗場呼び釦１ａと称する）から利用者が操作する場合に関して考えるが、図３に示す各階に設置された操作盤１１〜１Ｎに設けられた全ての乗場呼び釦から操作可能であることは言うまでもない。
【００２４】
エレベータデータ記憶部２ａには、エレベータ毎に定められたＩＤに関する情報と、当該エレベータのＩＤに対応する点検スイッチ５のＩＤと、通信端末４ａのＩＤに関する情報と、音声出力部４ｃのＩＤに関する情報と、入力スイッチ４ｄのＩＤに関する情報と、表示器１ｂのＩＤに関する情報との組が予め記憶されており、判定部２ｂにより検索され、検索の結果として得られたエレベータ毎に定められたＩＤ、点検スイッチ５のＩＤ、通信端末４ａのＩＤ、音声出力部４ｃのＩＤ、入力スイッチ４ｄのＩＤ、及び表示器１ｂのＩＤに関する情報がそれぞれ読み出される。
【００２５】
判定部２ｂは、点検スイッチ５から出力された点検スイッチ５のＩＤに関する情報と点検運転要求とを含む電気信号の入力を受け付ける機能と、エレベータのＩＤに関する情報と呼び出しのある階と音声ガイダンス要求とを含む電気信号の入力を乗場呼び釦１ａから受け付ける機能と、受け付けた電気信号に基づいてエレベータホールに点検中のエレベータの利用を希望する利用者がいるか否かの判定を行う機能と、当該判定の結果、エレベータホールに点検中のエレベータの利用を希望する利用者がいると判定した場合に、エレベータデータ記憶部２ａをエレベータのＩＤに関する情報をキーとして当該エレベータのＩＤに対応する第２の通信端末４ａ及び音声出力部４ｃのＩＤに関する情報を検索する機能と、当該検索結果として得られた第２の通信端末４ａ及び音声出力部４ｃのＩＤに関する情報を読み出し、読み出した第２の通信端末４ａ及び音声出力部４ｃのＩＤに関する情報と音声ガイダンス要求とを含む電気信号を第１の通信端末３に出力する機能と、第１の通信端末３から通常運転要求と入力スイッチ４ｄのＩＤに関する情報とを含む電気信号の入力を受け付ける機能と、当該通常運転要求に基づいて、エレベータデータ記憶部２ａを入力スイッチ４ｄのＩＤに関する情報をキーとして検索し、当該検索結果として得られた表示器１ｂのＩＤに関する情報を読み出す機能と、点滅表示を行わせる表示切替要求を含む電気信号を読み出したＩＤに対応する表示器１ｂに出力する機能とを有する。
【００２６】
第１の通信端末３は、送受信アンテナ３ａを有しており、判定部２ｂから入力された第２の通信端末４ａ及び音声出力部４ｃのＩＤに関する情報
と音声ガイダンスとを含む電気信号を電波信号に変換して、変換した電波信号を送受信アンテナ３ａを介して第２の通信端末４ａに送信する機能と、第２の通信端末４ａから送信された電波信号を送受信アンテナ３ａを介して受信し、受信した電波信号を電気信号に変換して、当該通常運転要求と入力スイッチ５のＩＤに関する情報を含む電気信号を判定部２ｂに出力する機能とを有する。
【００２７】
第２の通信端末４ａは、送受信アンテナ４ａ１を有しており、第１の通信端末３から送信された音声ガイダンス要求を含む電波信号を受信して、受信した電波信号を電気信号に変換して、変換した電気信号を音声出力部４ｃに出力する機能と、入力スイッチ４ｄから入力された入力スイッチ４ｄのＩＤと通常運転要求とを含む電気信号を電波信号に変換して送受信アンテナ４ａ１から第１の通信端末３に送信する機能とを有する。
【００２８】
音声データ記憶部４ｂは、予め音声データに対応する波形データが記憶されており、音声出力部４ｃにより検索されて、予め記憶された音声データに対応する波形データが読み出される。
【００２９】
音声出力部４ｃは、第２の通信端末４ａから出力された通報装置４に関する情報と音声ガイダンス要求とを含む電気信号に基づいて、音声データ記憶部４ｂを検索し、検索結果として得られた波形データに基づいて音声ガイダンスに対応する音声データを作成する機能と、作成した音声データを外部に出力する機能とを有する。
【００３０】
入力スイッチ４ｄは、点検員の操作によりオンに切り替えられた場合にのみ、入力スイッチ４ｄのＩＤに関する情報と通常運転要求とを含む電気信号を第２の通信端末４ａに出力する機能を有する。
【００３１】
点検スイッチ５は、点検員の切替操作により、オン状態に切り替えられた場合にだけ、点検スイッチ５のＩＤに関する情報と点検運転要求とを含む電気信号を判定部２ｂに出力する機能を有する。
【００３２】
表示器１ｂは、音声出力部４ｃから音声ガイダンスが出力された後、入力スイッチ４ｄのオン・オフ状態に基づいて、判定部２ｂによってなされた点検運転を継続するか否かの判定の結果に基づいて、通常運転に切り替えると判定された場合に、判定部２ｂから出力された表示切替要求を含む電気信号に基づき、点滅を繰り返して通常運転に切り替わる旨を表示する機能を有する。
【００３３】
なお、本実施の形態では、エレベータの通常運転が可能である旨を表示する表示器として点滅可能な表示器１ｂを用いているが、これに限らず、液晶の表示器、または電光掲示板等に変更可能である。
【００３４】
また、本実施の形態で用いられている点滅可能な表示器１ｂに、液晶の表示器または電光掲示板等を付加してもよい。
【００３５】
これにより、点検員からエレベータホールにいる利用者に対して、文字情報により通常運転が可能である旨を通報することができる。
【００３６】
また、液晶の表示器または電光掲示板であれば，文字情報で表示できるので、液晶の表示器または電光掲示板に通常運転が不可能である場合であっても、その旨を文字情報で表示することが可能となる。
【００３７】
次に、以上のように構成されたエレベータ通報システムの動作について説明する。
【００３８】
図４は、本実施の形態に係るエレベータ通報方法を適用したエレベータ通報システムの動作を説明するためのフローチャートである。
【００３９】
まず、判定部２ｂは、点検員の操作により点検スイッチ５がオンにされているか否かに基づいて、点検運転に切り替わっているか否かを判定する（ＳＴ１）。判定部２ｂは、この工程ＳＴ１で点検スイッチ５がオンの状態にされている場合（ＳＴ１：ＹＥＳ）には、点検運転に切り替わっていると判定して、入力された点検スイッチのＩＤに対応するエレベータの点検運転を開始する（ＳＴ２）。
【００４０】
一方、判定部２ｂは、この工程ＳＴ１で点検スイッチ５がオフにされている場合（ＳＴ１：ＮＯ）には、点検スイッチのＩＤに対応するエレベータが点検運転に切り替わっていないと判定してこの工程ＳＴ１を繰り返す。
【００４１】
工程ＳＴ３では、判定部２ｂは、エレベータホールの乗場呼び釦１ａが一定時間内に連続して押されているか否かによって（釦操作工程）、乗場呼び釦１ａから出力される音声ガイダンス要求を含む電気信号に基づいて、エレベータホールにエレベータの利用を希望する利用者の有無を判定する（利用者判定手段）。判定部２ｂは、この工程ＳＴ３で、乗場呼び釦１ａが一定時間内に連続して押されていると判定した場合（ＳＴ３：ＹＥＳ）、エレベータホールに当該エレベータの利用を希望する利用者がいると判定して、第１の通信端末３に音声ガイダンス要求を含む電気信号を出力する（ＳＴ４）。
【００４２】
一方、判定部２ｂは、乗場呼び釦１ａが一定時間内に連続して押されていないと判定した場合（ＳＴ３：ＮＯ）、この工程ＳＴ３を繰り返す。
【００４３】
次の工程では、第１の通信端末３は、判定部２ｂから出力された音声ガイダンス要求を含む電気信号を電波信号に変換して送受信アンテナ３ａから第２の通信端末４ａに送信する（ＳＴ５）。
【００４４】
次の工程では、第２の通信端末４ａは、音声出力部４ｃに音声ガイダンス要求を含む電気信号を出力する。そして、音声出力部４ｃは、入力された電気信号に基づいて、予め音声データ記憶部４ｂに記憶された波形データを読み出し、読み出した波形データから音声ガイダンスに対応する音声データを作成して、作成した音声データを外部に出力する（ＳＴ６：音声ガイダンス手段、音声ガイダンス工程）。
【００４５】
次の工程では、第２の通信端末４ａは、音声出力部４ｃによる音声ガイダンス終了後、入力スイッチ４ｄに対し、点検員からなされたオン／オフの切り替え操作により入力スイッチ４ｄから出力される通常運転への切り替え要求を含む電気信号を電波信号に変換して、当該電波信号を第１の通信端末３に送信する（ＳＴ７）。
【００４６】
次の工程では、判定部２ｂは、第１の通信端末３から出力された電気信号に含まれる通常運転への切替要求に関する情報の有無に基づいて、入力スイッチのオン／オフの切り替え状態、換言すれば通常運転に切り替えるか否かを判定する（ＳＴ８：運転切替判定手段）。判定部２ｂは、この工程ＳＴ８で通常運転に切り替えると判定した場合、入力スイッチ４ｄのＩＤに関する情報をキーとしてエレベータデータ記憶部２ａを検索し、検索結果として得られたＩＤに対応するエレベータホールの表示器に表示切替信号を出力する（ＳＴ９）。
【００４７】
一方、判定部２ｂは、この工程ＳＴ８で通常運転に切り替えないと判定した場合、この工程ＳＴ８を繰り返す。
【００４８】
次の工程では、表示器は、判定部から出力された表示切替信号に基づいて点滅を繰り返す（ＳＴ１０：結果表示手段、表示工程）。これにより、エレベータホールにいる利用者に対して、通常運転に切り変わる旨が通報される。
【００４９】
以上のような一連の手順によりエレベータ通報システムは、通報処理を終了する。
【００５０】
上述したように本実施の形態によれば、乗場呼び釦に対する所定の操作により乗場呼び釦から各通信端末を介してエレベータの乗りかご天井面上に音声出力部により音声ガイダンスでエレベータホールに点検中のエレベータの利用を希望して待機中の利用者がいることが外部の点検者に通報される。この結果、エレベータホールに、当該エレベータの利用を希望する利用者がいる旨を点検員に対して通報することができる。
【００５１】
本実施の形態によれば、通常運転に切り替える場合に、エレベータホールに設置されている表示器が点滅表示を繰り返すので、エレベータ利用者は、態々管理人または責任者に点検作業の終了時間を確認したり、点検サービス会社に問い合わせをしたりする労力を省くことができる。
【００５２】
また、本実施の形態によれば、エレベータホールにいる待機中の利用者と、乗りかごの天井面上にいる点検員との間で利用者から点検員に対しては、エレベータを利用したい旨を通報することができるとともに、点検員からエレベータホールにいる利用者に対しては、通常運転に切り替えるのが可能な場合に、通常運転に切り替える旨を通報することができるので、両者間で双方向の通信が可能となる。
【００５３】
本実施の形態によれば、現有のエレベータに配設されている設備を用いて、エレベータホールにいる利用者から点検員に利用者がエレベータホールにいる旨の通報を行うことが可能なので、新たに設備を設ける労力を省くことができる。
【００５４】
なお、本発明は、上記一実施の形態に限定されるものでなく、実施段階ではその要旨を逸脱しない範囲で種々に変形することが可能である。例えば、上記一実施の形態では、点検スイッチとエレベータ制御盤の判定部との間は、有線で接続されているが、当該点検スイッチと判定部との間の通信をＢｌｕｅｔｏｏｔｈ等の規格に準拠した通信機器を用いることにより無線で行う構成に変更してもよい。
【００５５】
これにより、点検員が何処にいる場合でも、点検スイッチからエレベータ制御盤の判定部に無線で点検運転に切り替える旨のデータをエレベータ制御盤の判定部に送信することができるので、点検運転と通常運転との切替えを容易に行うことができる。
【００５６】
また、上記一実施の形態では、音声出力部による音声ガイダンスで点検員に通報していたが、これに限らず、液晶画面に表示する構成に変更することが可能である。
【００５７】
これにより、点検員にエレベータホールの利用者から、当該エレベータを利用したい旨を文字情報によって通報することができる。
【００５８】
さらに、上記一実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題が解決でき、発明の効果の欄で述べられている効果が得られる場合には、この構成要件が削除された構成が発明として抽出できる。
【００５９】
【発明の効果】
以上詳述したように本発明によれば、エレベータホールで点検中のエレベータの利用を希望して待機している利用者がいることを、点検員に通報することを可能にするエレベータ通報システム及び方法を提供できる。
【図面の簡単な説明】
【図１】本発明に係るエレベータ通報方法を適用したエレベータ通報システムの一実施の形態を示す機能ブロック図。
【図２】本発明に係るエレベータ通報方法を適用したエレベータ通報システムに用いられているエレベータホールに設置されている操作盤の一例を示す模式図。
【図３】本発明に係るエレベータ通報方法を適用したエレベータ通報システムの建築物への実装例の外観を概念的に示す模式図。
【図４】本発明に係るエレベータ通報方法を適用したエレベータ通報システムの動作を説明するためのフローチャート。
【符号の説明】
１…エレベータ制御盤
１ａ…乗場呼び釦
１ｂ…表示器
２…エレベータ制御盤
２ａ…エレベータデータ記憶部
２ｂ…判定部
３…第１の通信端末
３ａ…送受信アンテナ
４…通報装置
４ａ…第２の通信端末
４ａ１…送受信アンテナ
４ｂ…音声データ記憶部
４ｃ…音声出力部
４ｄ…入力スイッチ
５…点検スイッチ
【図１】
2004277116.tif 000003
【図２】
2004277116.tif 000004
【図３】
2004277116.tif 000005
【図４】
2004277116.tif 000006